(57)【特許請求の範囲】
【請求項１】
上側表面に凹部キャビティを有する装着ブロックと、
前記凹部キャビティ内に設けられた第１の端部および前記上側表面から延びる本体部分を有するポストと、
上側ヒューズ端子、下側ヒューズ端子、および前記上側および下側ヒューズ端子に略直交して設けられたヒューズエレメントを有するヒューズであって、前記ヒューズが前記装着ブロックの周りに部分的に配置されるように、前記上側ヒューズ端子は、前記ポストの前記本体部分を受けるように構成された中心に設けられたアパーチャを有し、前記ヒューズエレメントは、前記装着ブロックの壁に隣接して保持され、前記壁は、前記装着ブロックの上側および下側表面に略直交して設けられ、前記下側ヒューズ端子は前記下側表面に隣接して保持され、前記ポストが、保護すべき回路に接続するための端子を受けるように構成された第２の端部を有する、ヒューズと
前記装着ブロックの前記下側表面の下に配置されたバスバーであって、前記下側ヒューズ端子に接触するバスバーと、
を備える、回路保護アセンブリ。
【請求項２】
前記ヒューズの前記上側ヒューズ端子から前記ヒューズの前記下側ヒューズ端子まで延びるカバーをさらに備え、前記カバーが前記ヒューズエレメントを覆って設けられる、請求項１に記載の回路保護アセンブリ。
【請求項３】
上側表面および下側表面に略直交して設けられた壁を有する装着ブロックと、
各々が前記ブロックの前記上側表面から延びる複数のポストと、
各々が上側ヒューズ端子および下側ヒューズ端子並びに前記上側および下側ヒューズ端子を接続するヒューズエレメントによって規定される複数のヒューズであって、前記ヒューズエレメントは、前記上側および下側ヒューズ端子に略直交して設けられ、前記複数のヒューズが前記装着ブロックの周りに部分的に配置されるように、前記ヒューズの前記上側ヒューズ端子の各々が、前記複数のポストのうちのそれぞれのポストを受けるように構成された中心に設けられたアパーチャを有し、前記ヒューズエレメントは、前記壁に隣接して保持され、前記下側ヒューズ端子は、前記下側表面に隣接して保持される、複数のヒューズと、
前記装着ブロックの前記下側表面の全長にわたって延びるバスバーであって、前記下側ヒューズ端子に接触する、バスバーと
を備える、回路保護アセンブリ。
【請求項４】
前記壁が、対応するヒューズエレメントの少なくとも一部分が設けられる複数の凹部を有する、請求項３に記載の回路保護アセンブリ。
【請求項５】
前記ヒューズエレメントの各々が、前記ヒューズエレメントの各々からの熱放散に適応するように、前記壁から遠くに離して設けられる、請求項４に記載の回路保護アセンブリ。
【請求項６】
前記装着ブロックの前記上側表面が複数の凹部を含み、前記ポストの各々が、対応する凹部内に少なくとも部分的に設けられた第１の端部を有する、請求項３に記載の回路保護アセンブリ。
【請求項７】
前記ヒューズの前記上側ヒューズ端子から前記ヒューズの前記下側ヒューズ端子まで延びるカバーをさらに備え、前記カバーが前記ヒューズエレメントを覆って設けられる、請求項３に記載の回路保護アセンブリ。
【請求項８】
前記装着ブロックが前記ブロックの前記上側表面の全長にわたって延びる凹部を含み、前記凹部が、前記凹部内に少なくとも部分的に設けられた前記複数のポストの各々の第１の端部を受けるように構成された、請求項３に記載の回路保護アセンブリ。
【請求項９】
前記凹部が溝状凹部である、請求項８に記載の回路保護アセンブリ。
【請求項１０】
前記装着ブロックの前記上側表面の前記複数のポストの各々の間に設けられた複数のガードをさらに備える、請求項３に記載の回路保護アセンブリ。
【請求項１１】
前記装着ブロックの第１の端部に配置され、前記バスバーに電力を供給するように構成された電力接続アセンブリをさらに備える、請求項３に記載の回路保護アセンブリ。
【請求項１２】
前記電力接続アセンブリが、電力接続部分と前記ヒューズの各々の前記下側ヒューズ端子との間に設けられたヒューズをさらに備える、請求項１１に記載の回路保護アセンブリ。
【請求項１３】
上側表面および下側表面に略直交して設けられた壁と、装着ブロックの前記上側表面から延びる凹部キャビティを有する装着ブロックと、
前記装着ブロックの周囲に少なくとも部分的に設けられた統一されたヒューズアセンブリであって、前記統一されたヒューズアセンブリは、各々がヒューズの第１の端子を形成するために前記装着ブロックの前記下側表面の下に設けられたバスプレートの一部分によって規定された複数のヒューズを有し、少なくとも部分的に前記装着ブロックの前記上側表面に第２の端子が設けられ、ヒューズエレメントが前記第１の端子と前記第２の端子とに略直交して設けられ、前記第１の端子と前記第２の端子とを接続し、前記ヒューズの前記第２の端子の各々が複数のポストのうちのそれぞれのポストを受けるように構成された中心に設けられたアパーチャを有する、統一されたヒューズアセンブリと、
本体および前記本体から延びる複数のポストを有するポストアセンブリであって、前記本体が、前記凹部キャビティ内に少なくとも部分的に摺動可能に挿入されるように構成された、ポストアセンブリと
を備え、
前記凹部キャビティが第１の凹部キャビティであり、前記装着ブロックが前記装着ブロックの側壁によって部分的に規定され、前記ブロックの頂部表面の近くから前記ブロックの底部表面まで延びる第２の凹部キャビティを含み、前記ヒューズエレメントが、前記凹部キャビティを覆って前記装着ブロックの前記側壁から遠くに離して設けられる、回路保護アセンブリ。
【請求項１４】
前記装着ブロックの第１の端部に配置され、前記バスプレートに電力を供給するように構成された電力接続部分をさらに備える、請求項１３に記載の回路保護アセンブリ。
【発明の詳細な説明】
【技術分野】
【０００１】
本発明の実施形態は、回路保護デバイスの分野に関する。より詳細には、本発明は、製造がより簡便で、ヒューズを備える内蔵型絶縁構成を提供するポスト（post）構成を採用するヒューズアセンブリに関する。
【背景技術】
【０００２】
ヒューズは、回路保護デバイスとして使用され、電源と保護すべき回路中の構成要素との間に電気接続を形成する。ヒューズは、特に、過電流状態によって引き起こされるダメージから保護するように構成され得る。ヒューズは、回路中で特定の過電圧状態および／または過電流状態が発生したときに、回路経路を物理的に開き、または遮断し、ダメージから電気構成要素を絶縁するように構築される。
【０００３】
一般に、車両中の電気システムは、これらの状態によって引き起こされるダメージから電気回路、機器および構成要素を保護するために、多数のこれらのタイプの回路保護デバイスを含む。たとえば、車両中の電源（たとえば、バッテリー）は、電気ケーブルの丸型端子が接続される端子ポストに嵌合されたヒューズを利用する。通常、丸型端子とヒューズとを所定の位置に保持するために、ナットがそのポストにねじ留めされている。過剰電流状態が存在するとき、端子ポスト上のヒューズは、電源に接続された構成要素をこの過剰電流から保護する。丸型端子が、ヒューズを介してではなく直接的にポストと電気接触すると、意図しないショートが生じる。この問題を克服するために、電流が、ヒューズをバイパスし、保護回路に損傷を与えないようにヒューズと丸型端子とを絶縁するために、ポストに嵌合された絶縁ナットが使用されてきた。
【発明の概要】
【発明が解決しようとする課題】
【０００４】
あるアプリケーションでは、複数のこれらのヒューズ構成と単一の電力源を共有して、複数の回路に電力を分配することができる。たとえば、図１はヒューズアセンブリ１０の側面断面図であり、ポスト２５がそこから延び、ヒューズ３０が装着されたハウジングまたはブロック２０が示されている。丸型端子４０は、ポスト２５に嵌合される。丸型端子４０は、保護すべき電気回路に電力を供給するために、電力ケーブル４１に接続される。丸型端子４０は、ヒューズ３０の上側端子と電気接触するが、ポスト２５から絶縁されるように構成される。この構成では、電力は、ヒューズ３０の下側端子に接続されたブロック２０中に設けられたバスバー４５に供給される。このようにして、ヒューズ３０は、バスバー４５を、ヒューズエレメント３５を介して丸型端子４０と接続する。過電流状態が生じると、ヒューズエレメント３５は、バスバー４５から丸型端子４０への電流の流れを開くか、またはそれを防止し、それにより、電気回路が保護される。ポスト２５は、典型的にはプラスチックで作製されたブロック２０内に成形される。残念ながら、ブロック２０中にポスト２５の一端を成形することによって、追加の製造ステップとそれに関連するコストが必要となる。したがって、製造がより容易であるポストまたは端子部分を含み、不要な短絡を防ぐための絶縁構成を提供するヒューズアセンブリを提供することが必要である。
【課題を解決するための手段】
【０００５】
本発明の例示的な実施形態は、電源と保護すべき回路との間に設けられた保護デバイスを対象とする。例示的な実施形態では、本回路保護アセンブリは、装着ブロックであって、貫通して延びる孔、および装着ブロックの第１の表面の凹部キャビティを有する、装着ブロックを備える。凹部キャビティ内には、第１の端部を有するポストが設けられ、孔を貫通して本体部分が延びる。中心に設けられたアパーチャを有するヒューズは、ポストの本体部分を受けるように構成される。ポストは、保護すべき回路に接続するための端子を受けるように構成された第２の端部を有する。
【０００６】
別の例示的な実施形態では、回路保護アセンブリは、上側表面および下側表面を有する装着ブロックを備える。複数のポストが含まれ、ポストの各々は、ブロックの上側表面から延びる。複数のヒューズは各々、第１の端子および第２の端子によって規定され、ヒューズエレメントは第１の端子と第２の端子とを接続し、ヒューズの第１の端子の各々は、複数のポストのうちのそれぞれのポストを受けるように構成された、中心に設けられたアパーチャを有する。バスバーは、装着ブロックの底部表面の全長にわたって延び、バスバーはヒューズの各々の第２の端子を規定する。電力接続アセンブリは、装着ブロックの第１の端部に配置され、バスバーに電力を供給するように構成される。
【図面の簡単な説明】
【０００７】
【図１】一つのブロックと一体成形されたポストを採用する従来技術のヒューズアセンブリを示す図である。
【図２Ａ】本開示の一実施形態による例示的なヒューズアセンブリの分解斜視図である。
【図２Ｂ】本開示の一実施形態による図２Ａのヒューズアセンブリの底部斜視図である。
【図２Ｃ】図２Ａおよび図２Ｂに示したヒューズアセンブリの一部分の側断面図である。
【図３Ａ】本開示の一実施形態によるアセンブリにおいて利用されるヒューズの分解斜視図である。
【図３Ｂ】本開示の一実施形態によるアセンブリにおいて利用されるヒューズの上面図である。
【図４Ａ】本開示の代替実施形態によるアセンブリの様々な斜視図である。
【図４Ｂ】本開示の代替実施形態によるアセンブリの様々な斜視図である。
【図４Ｃ】本開示の代替実施形態によるアセンブリの様々な斜視図である。
【図４Ｄ】本開示の代替実施形態によるアセンブリの様々な斜視図である。
【図５】本開示の代替実施形態による例示的な実施形態の斜視図である。
【図６Ａ】本開示の代替実施形態による例示的な実施形態の斜視図である。
【図６Ｂ】本開示の代替実施形態による例示的な実施形態の斜視図である。
【図７】本開示による例示的な実施形態の分解斜視図である。
【図８Ａ】本開示による例示的な実施形態の斜視図である。
【図８Ｂ】本開示による、図８Ａに示した例示的な実施形態の側面図である。
【発明を実施するための形態】
【０００８】
次に、本発明について、本発明の好適な実施形態が示された添付の図面を参照して、より十分に以下に説明する。ただし、本発明は、多くの異なる形態で実施でき、本明細書に記載される実施形態に限定されると解釈されるべきではない。そうではなく、これらの実施形態は、本開示が完璧かつ完全であり、本発明の範囲を当業者に十分に伝えるために提供される。図面において、同様の番号は、全体を通して同様の要素を指す。
【０００９】
図２Ａは、１つまたは複数のヒューズ１３０が装着されたハウジングまたはブロック１２０を含むヒューズアセンブリ１００の斜視図である。この図では、１つのヒューズ１３０が２つのポスト１５５および１２５とともに示され、ポスト１５５はバスプレート１３１に電力を供給し、ポスト１２５はヒューズ１３０を受ける。特に、第１のポスト１２５は、ブロック１２０の受容ボアとバスプレート１３１の対応するボアとを貫通して設けられ得る。ヒューズ１３０は、ポスト１２５を受ける（図３Ｂに示すような）ほぼ中心のアパーチャを有するセラミック「ブロック」ヒューズとすることができる。絶縁体１２６は、ポスト１２５をヒューズ１３０から絶縁する。ケーブル１４１に接続された丸型端子１４０がポスト１２５に装着され、ヒューズと丸型端子を所定の位置に保持するために、ナット１４５がポストにねじ係合する。第２のポスト１５５は、ブロック１２０を貫通して延び、バスバー１３１と電気接触して電力を提供する。またポスト１５５はねじ留めされ、丸型端子１５０とナット１５５とを受ける。ケーブル１５１は、バスバー１３１を介してヒューズアセンブリに電力を分配するために、丸型端子１５０を介してポスト１５５に接続される。このようにして、丸型端子１５０から、ヒューズ１３０を介してバスプレート１３１に、丸型端子１４０に、保護すべき構成要素および／または回路への回路が形成される。したがって、電力は、１つのロケーション（たとえば、丸型端子１５０およびバスプレート１３１）においてアセンブリに供給され、それぞれのヒューズアセンブリ（たとえば、ヒューズ１３０）を介して回路に分配される。
【００１０】
図２Ｂはアセンブリ１００の底面図であり、ブロック１２０内のポスト１２５および１５５の保持構成が示されている。特に、ブロック１２０の底面は、各ポスト１２５、１５５のヘッドよりもわずかに大きなサイズを有する凹部を含み、その内部には、それぞれのポストがブロック１２０を貫通して所定の位置に固定されるように、これらのヘッドが設けられる。ポスト１２５および１５５は、ブロック１２０のそれぞれの凹部に圧力嵌合することができ、凹部は、各ポスト１２５、１５５のそれぞれのヘッドと同じ形状を有し、ポストの各々の本体部分はブロック１２０を通って延びる。このようにすると、ポストをブロック１２０と一体成形する必要がなく、それにより、製造コストおよび労働コストが低減される。
【００１１】
図２Ｃは、図２Ａおよび図２Ｂに示されたヒューズアセンブリの一部分を示す側断面図である。図を見ると分かるように、ポスト１２５のヘッド１２５ａは、ブロック１２０内に埋め込まれるが、その中には成形されない。別個の構成要素であり、ブロック１２０の一部としては成形されない絶縁体１２６は、バスバー１３１からポスト１２５を絶縁するために、ヘッド１２５ａからポスト１２５に沿って延び、ヒューズ１３０の下側端部に入る。ブロック１２０内にポスト１２５と絶縁体１２６とを成形しないことによって、製造コストが節約される。ヒュージブルエレメント（fusible element）１３６は、バスバー１３１と電気接触する下側ヒューズ端子１３５’に接続される。通常の動作状態では、バスバー１３１と、下側ヒューズ端子１３５と、ヒュージブルエレメント１３６と、上側ヒューズ端子１３５と、丸型端子１４０との間に電気接続が形成される。過電流イベントが生じると、ヒュージブルエレメント１３６は飛ばされるか、あるいはこの電気接続を破損する。
【００１２】
図３Ａは、ブロックヒューズ１３０の斜視図であり、図３Ｂはその上面図である。ヒューズ１３０は、たとえば、セラミック材料で作製され得るハウジング１３０’によって規定され、ポスト１２５を受ける、中心に設けられたアパーチャ１２７を有する。ヒューズ１３０は、バスバー１３１に電力を供給するための保護すべき回路への電気経路を提供するために、端子１３５を介して丸型端子１４０と電気接触するヒューズエレメント１３６を含む。また、ヒューズエレメント１３６は、保持を補助するために、ハウジング１３０’に向かって延びる保持フランジ１３７を含む。また、ヒューズ１３０は、周囲粒子からヒュージブルエレメント１３６を保護するだけでなく、過電流状態に起因してヒューズが飛んだときにアーク放電を阻止するように作用するカバー１８０を含む。このカバーは、カバーを所定の位置に保持するのに役立つヒューズ本体１３０’の溝１８５中に少なくとも部分的に設けられる。
【００１３】
図４Ａ〜図４Ｄは、本開示の代替実施形態によるアセンブリ２００の様々な斜視図である。図２〜図３に示した別個のヒューズ１３０の代わりに、この実施形態は、ヒューズ２３０１・・・２３０Ｎとブロック２２０とを統合して、統一されたアセンブリにする。特に、図４Ａはブロック２２０を示し、ブロック２２０は、ブロックの全長にわたって延びる（図４Ｄ参照）、ブロックの底部に設けられたバスバー２３１を含む。アセンブリ２００の第１の部分２２９は、電源ケーブルがポスト２２５１に接続されたときに電源への接続を規定する。バスバー２３１は、ブロック２２０の外側の周囲の電気接続（図示せず）を介して、ポスト２２５１に接続される。ブロック２２０の残りの部分は、ヒューズ２３０１・・・２３０Ｎを規定し、各ヒューズは、各ヒューズの第１の端子として作用するバスバー２３１を第２の端子２３５１・・・２３５Ｎに接続する別個のヒューズエレメント２３６１・・・２３６Ｎを有する。図示のように、ヒューズエレメント２３６１は、端子２３５１にバスバー２３１を電気接続してヒューズ２３０１を規定するために使用される。また、ヒューズ２３０１・・・２３０Ｎの各々は、それぞれのヒュージブルエレメント２３６１・・・２３６Ｎを覆うカバー２３７Ｎを含む。
【００１４】
図４Ｂには、丸型端子に接続するためにブロック２２０の凹部内にポストをどのように配置するかを示すために、ヒュージブルエレメントまたはバスバーなしに、ポスト２２５１・・・２２５Ｎとブロック２２０のみが示されている。特に、ブロック２２０は、ヒューズエレメント２３１１・・・２３６Ｎがそこに設けられる空の凹部２２８１・・・２２８Ｎとともに示される。各ポスト２２５１・・・２２５Ｎのヘッドはブロック２２０中に配置される。これにより、各ポストは、ブロック２２０から、各ヒューズのそれぞれの端子２３５１・・・２３５Ｎのみを通って延びることができるようになる。こうすることにより、各ポストは、端子２３５１・・・２３５Ｎのうちの対応する端子のみを貫通して突出し、バスバー２３１とは接触しないので、ポスト２２５１・・・２２５Ｎの各々を絶縁する必要がなくなる。さらに、絶縁体を１つも使用しないので、ヒューズがポスト２２５１・・・２２５Ｎに装着されたときに存在する圧縮力は、ポストとそれぞれのヒューズ端子との間の接触点に限定される。このようにして、各ポスト２２５Ｎは、対応するヒューズ２３０Ｎのそれぞれの端子２３５Ｎと直接的に接触する。このようにすると、絶縁体を必要する必要がなくなり、圧縮力はすべて、ヒューズ端子とそれぞれのポストとの間に直接的に加えられるので、ボルト留めジョイントの圧縮力に耐えることができる。以前の設計では、絶縁体ならびにブロック２２０を形成するために特殊プラスチックが必要であった。使用中の熱、ならびにヒューズをポストにボルト留めしたときに発生する圧縮力に耐えるために、これらのコストのかかる特殊プラスチックが選択された。対照的に、本開示のポスト２２５１・・・２２５Ｎは、ブロック２２０を貫通して延びないので、これにより、これらの圧縮力に耐えることができる、使用されるべきコストのかかる高温プラスチックまたはセラミックが不要になる。
【００１５】
図４Ｃはアセンブリの切欠き断面図であり、バスバー２３１の対応する部分によって規定された第１の端子と、ヒューズエレメント２３６Ｎによって接続された第２の端子２３５Ｎと、丸型端子への接続のための、第２の端子２３５Ｎ中のアパーチャを通って上向きに延びるポスト２２５Ｎとを有する特定のヒューズ２３０Ｎが示されている。また、各ヒューズは、図３Ｂに示されるような、ヒュージブルエレメント２３６Ｎを保護するカバー２８０Ｎを含む。
【００１６】
図５〜図７は本開示の代替実施形態によるアセンブリの様々な図であり、端子、ブロック、ポストおよびヒュージブルエレメントの異なる構成が含まれる。図５に、ブロック５２０を備えるアセンブリ５００を示し、対になった、または横に並んだポスト５２５１・・・５２５Ｎ構成は、ブロックヒューズ（たとえば、図３Ａに示した１３０）を受けるように適合されている。ブロック５２０は、たとえば、プラスチック製の統一された部品とすることができ、ブロック５２０の全長および全幅にわたって延びる、ブロックの底部に設けられたバスバー５３１を含む。アセンブリ５００のバスバー５３１の第１の部分５２９は、電源ケーブルが接続されたときに電源への接続を規定する。
【００１７】
ヒューズ５３０１・・・５３０Ｎは各々、各ヒューズの第１の端子として作用するバスバー５３１をヒューズの対応する第２の端子５３５１・・・５３５Ｎに接続する別個のヒューズエレメント５３６１・・・５３６Ｎを有する。たとえば、ヒューズエレメント５３６１は、バスバー５３１を端子５３５１に接続してヒューズ５３０１を規定するために使用される。ヒュージブルエレメントの各々は、ヒュージブルエレメントの各々の温度が使用中に上昇するので、ブロック５２０の壁５２０Ａから離して遠くに設けられ、ブロック５２０のプラスチック材料と接触するべきでない。
【００１８】
複数の５２５１・・・５２５Ｎの各々は、溝状凹部５２７を介してブロック５２０中に配置される。これにより、各ポストは、ブロック５２０からそれぞれの第２の端子５３５１・・・５３５Ｎのみを通って延びることができるようになり、バスバー５３１には接触しない。前述の実施形態に関して述べたように、ブロック５２０全体を貫通して延びるわけではないので、これにより、端子がポストに接続されたときに圧縮力に耐えることが可能なブロックについて、コストのかかる高温プラスチックまたはセラミックを使用する必要性が不要になる。端子５３５１・・・５３５Ｎの各々を離隔するために、端子５３５Ｎの各々とポスト組み合わせとの間にスペーサまたはガード５３４Ｎを設けることができる。
【００１９】
図６Ａ〜図６Ｂに、本開示によるアセンブリ６００の別の実施形態を示す。図６Ａはアセンブリ６００の頂部斜視図であり、図６Ｂは同じアセンブリ６００の分解斜視図である。アセンブリ６００は、第１のサブブロック６２０Ａと、第２のサブブロック６２０Ｂとによって規定されるブロック６２０を含む。本実施形態では、バスバー（たとえば、図５に示された５３１）は、第１のサブブロック６２０Ａの底部に配置された第１の部分６３１Ａと、第２のサブブロック６２０Ｂの底に配置された第２のサブ部分６３１Ｂとによって規定される。バスバー部分６２０Ａおよび６２０Ｂは、ヒューズ６３０１・・・６３０Ｎの各々の第１の端子によって規定され、第２の端子はそれぞれの部分６３５１・・・６３５Ｎによって規定される。ポスト６２５１・・・６２５Ｎの各々は、たとえば、図１および図２に示された例示的な丸型端子を受けるように規定される。
【００２０】
接続部分６２９は、アセンブリ６００の電源ケーブルを受ける。接続部分６２９は、たとえば、電源ケーブルの丸型端子を受けるように適合された第１の接続部分６２９Ａと、第２の接続部分６２９Ｂバイアアパーチャ６２９Ｂ’とよって規定される。第１の接続部分６２９Ａと第２の接続部分６２９Ｂとの間に、（図６Ｂにより明確に示されている）追加のヒュージブルエレメント６３６Ｎ＋１を設けることができ、ハウジング６２８内に設けることができる。
【００２１】
図６Ｂは、アセンブリ６００の分解図を示し、ヒューズ部分６３０１・・・６３０Ｎは、それぞれのバスバー部分６３１Ａおよび６３１Ｂと、ヒュージブルエレメント６３６１・・・６３６Ｎと、端子６３５１・・・６３５Ｎとによって規定された統一されたセクションとして示されている。これらの統一された部品は、それぞれのブロック部分６２０Ａおよび６２０Ｂの周囲に設けられ、ポスト６２５１・・・６２５Ｎは、アパーチャを貫通して上側端子６３５１・・・６３５Ｎの各々に突出している。第１のカバー６８０Ａおよび第２のカバー６８０Ｂは、それぞれのヒュージブルエレメント６３６１・・・６３６Ｎを覆うために使用される。サブブロック６２０Ａおよび６２０Ｂの各々の第１の側部は凹部６２１と凸部６２２とを有しており、それらは、２つのサブブロックを１つに嵌合させてブロック６２０を形成するように整列される。
【００２２】
図７は、本開示による代替アセンブリ７００の分解斜視図である。本実施形態では、ブロック７２０は統一された部品であり、全体として７３０Ａと示される統一されたヒューズアセンブリを受けるように構成される。統一されたアセンブリ７３０Ａは、バスバー７３１とヒューズ７３０１・・・７３０Ｎによって規定される。バスバー７３１はヒューズの各々の第１の端子を形成し、第２の端子７３５１・・・７３５Ｎは、それらの間に設けられたヒュージブルエレメント７３６１・・・７３６Ｎをそれぞれ介して第１の端子に電気接続される。
【００２３】
ブロック７２０は、第１のポストアセンブリ７９０Ａおよび第２のポストアセンブリ７９０Ｂの第１のポストブロック７２２Ａおよび第２のポストブロック７２２Ｂを受けるように構成された第１の凹部７２１Ａおよび第２の凹部７２１Ｂを含む（説明を簡単にするために、統一されたアセンブリ７３０Ａ内に設けられた７９０Ａが示され、統一されたアセンブリ７３０Ａの外部に７９０Ｂが示されている）。このようにして、ブロック７２０は摺動して統一されたアセンブリに入り、ポストアセンブリ７９０Ａおよび７９０Ｂを受け、あるいは、統一されたアセンブリ７３０Ａは、凹部７２１Ａおよび７２１Ｂ内に少なくとも部分的に設けられたポストアセンブリ７９０Ａおよび７９０Ｂとともに摺動してブロック７２０を越える。
【００２４】
図８Ａは、本開示によるアセンブリ８００の代替実施形態の分解斜視図である。本実施形態では、ブロック８２０は、以下で説明するように、第１の部分８２０Ａが１つまたは複数の接続ケーブルへの接続のためのポスト８２５１、８２５２で構成され、第２の部分８２０Ｂが雌型ヒューズ部分８３５Ｎ−２〜８３５Ｎを受ける、統一された部品ブロックでもマルチ部品ブロックでもよい。全体として８３０Ａと示される統一されたアセンブリは、バスバー８３１とヒューズ８３０１・・・８３０Ｎとによって規定される。バスバー８３１はヒューズの各々の第１の端子を形成し、第２の端子は８３５１・・・８３５Ｎとして示され、それらの間にヒュージブルエレメント８３６１・・・８３６Ｎがそれぞれ設けられる。端子８３５Ｎ−２・・・８３５Ｎは、凹部８３２１・・・８３２Ｎ中に挿入するための凸型端子として構成することができる。雌型ヒューズ部分８３５Ｎ−２・・・８３５Ｎの各々への接続を保持するために、複数の係止部分８２３１・・・８２３Ｎがブロック部分８２０Ｂの頂部に設けられる。アセンブリ８００の側面図を示す図８Ｂを参照すると、これはより明確に理解できる。凹部８３２１・・・８３２Ｎは、係止部分８２３１・・・８２３Ｎを介して所定の位置に保持された雌型ヒューズ部分８３５Ｎ−２・・・８３５Ｎへの接続を受けるために、ブロック部分８２０Ｂを貫通して反対側まで延びる。
【００２５】
本発明をある実施形態に関して開示してきたが、添付の（１つまたは複数の）請求項で規定される本発明の領域および範囲から逸脱することなく、記載された実施形態に対する数多くの修正、改変および変更が可能である。したがって、しかし、意図される本発明は、記載された実施形態に限定されるものではないが、以下の特許請求の範囲の語法およびその等価物によって定義される全範囲を有すること意図するものである。
【符号の説明】
【００２６】
１００  ヒューズアセンブリ
１２０  ブロック
１２５  ポスト
１２６  絶縁体
１３０  ヒューズ
１３１  バスバー
１３６  ヒュージブルエレメント
１４１  ケーブル
１４０  丸型端子
１５０  丸型端子
１５１  ケーブル
１５５  ポスト
【図１】
0005905452.tif 000002
【図２Ａ】
0005905452.tif 000003
【図２Ｂ】
0005905452.tif 000004
【図２Ｃ】
0005905452.tif 000005
【図３Ａ】
0005905452.tif 000006
【図３Ｂ】
0005905452.tif 000007
【図４Ａ】
0005905452.tif 000008
【図４Ｂ】
0005905452.tif 000009
【図４Ｃ】
0005905452.tif 000010
【図４Ｄ】
0005905452.tif 000011
【図５】
0005905452.tif 000012
【図６Ａ】
0005905452.tif 000013
【図６Ｂ】
0005905452.tif 000014
【図７】
0005905452.tif 000015
【図８Ａ】
0005905452.tif 000016
【図８Ｂ】
0005905452.tif 000017